(57)【要約】      （修正有）【課題】１つの蒸発器で冷却を行う冷蔵庫において、冷凍空間内に高い温度の空気が流入するのを防止しつつ、圧縮機の停止中に蒸発器に残存する冷熱を有効活用し省エネルギー性能に優れた冷蔵庫を提供する。【解決手段】蒸発器で冷却された空気を冷蔵空間に送風する冷蔵冷却モード又は蒸発器で冷却された空気を冷凍空間に送風する冷凍冷却モードの終了後に圧縮機を停止させると、蒸発器で冷却された空気を冷蔵空間に供給する流路を開閉する冷蔵吹出ダンパを開放し、蒸発器で冷却された空気を冷凍空間に供給する流路を開閉する冷凍吹出ダンパを閉止し、冷凍空間の空気を蒸発器が収納された空間へ戻す流路を開閉する冷凍吸込ダンパを閉止し、蒸発器ファンを回転させる。【選択図】図５
2014005953.tif 000002
【特許請求の範囲】
【請求項１】
冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間に供給する流路を開閉する冷蔵吹出ダンパと、前記蒸発器で冷却された空気を前記冷凍空間に供給する流路を開閉する冷凍吹出ダンパと、前記冷凍空間の空気を前記蒸発器が収納された空間へ戻す流路を開閉する冷凍吸込ダンパと、前記圧縮機、前記蒸発器ファン、前記冷蔵吹出ダンパ、前記冷凍吹出ダンパ、及び前記冷凍吸込ダンパを制御する制御部とを備え、
前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、
前記制御部は、前記冷蔵冷却モード又は前記冷凍冷却モードの終了後に前記圧縮機を停止させると、前記冷蔵吹出ダンパを開放し、前記冷凍吹出ダンパ及び前記冷凍吸込ダンパを閉止し、前記蒸発器ファンを回転させる第１制御モードを実行することを特徴とする冷蔵庫。
【請求項２】
前記制御部は、前記冷蔵空間内の温度が所定温度以上の場合に前記第１制御モードを実行することを特徴とする請求項１に記載の冷蔵庫。
【請求項３】
前記制御部は、前記蒸発器の温度が所定温度以下の場合に前記第１制御モードを実行することを特徴とする請求項１又は２に記載の冷蔵庫。
【請求項４】
前記蒸発器を加熱する除霜ヒータを備え、
前記制御部は、前記圧縮機の停止後であって前記除霜ヒータの通電前に前記第１制御モードを実行することを特徴とする請求項１〜３のいずれか１項に記載の冷蔵庫。
【請求項５】
前記制御部は、前記冷凍冷却モードの終了後に前記圧縮機を停止させると、前記冷蔵吹出ダンパを閉止し、前記冷凍吹出ダンパ及び前記冷凍吸込ダンパを開放し、前記蒸発器ファンを回転させる第２制御モードを実行した後、前記第１制御モードを実行することを特徴とする請求項１〜４のいずれか１項に記載の冷蔵庫。
【請求項６】
前記制御部は、前記第２制御モードを実行した後、冷蔵空間内の温度が所定温度以上の場合に前記第１制御モードを実行することを特徴とする請求項５に記載の冷蔵庫。
【請求項７】
前記制御部は、前記冷凍空間内の温度が所定温度以上の場合に前記第２制御モードを実行することを特徴とする請求項５又は６に記載の冷蔵庫。
【請求項８】
前記制御部は、前記蒸発器の温度が所定温度以下の場合に前記第２制御モードを実行することを特徴とする請求項５〜７のいずれか１項に記載の冷蔵庫。
【発明の詳細な説明】
【技術分野】
【０００１】
本発明の実施形態は、冷蔵庫に関する。
【背景技術】
【０００２】
従来、１つの蒸発器で冷却を行う冷蔵庫において、蒸発器で冷却された空気を冷蔵空間へ供給する流路と冷凍空間へ供給する流路とにそれぞれ冷蔵ダンパと冷凍ダンパを設けるとともに、冷蔵空間及び冷凍空間に蒸発器で冷却された空気を送風する蒸発器ファンを設け、冷蔵ダンパ及び冷凍ダンパの開閉や蒸発器ファンの回転を制御することで、冷蔵空間を冷却する冷蔵冷却モードと、冷凍空間を冷却する冷凍冷却モードとを切り替えて実行する冷蔵庫が知られている（例えば、下記特許文献１、２参照）。
【先行技術文献】
【特許文献】
【０００３】
【特許文献１】特開２００３−３２２４５４号
【特許文献２】特許第４０８８４７４号
【発明の概要】
【発明が解決しようとする課題】
【０００４】
上記の冷蔵庫では、制御部が、圧縮機を停止させてから冷蔵ダンパを開放し、蒸発器ファンを回転させることで、冷蔵空間を冷却することがあるが、その際、圧縮機は停止しており蒸発器の温度が冷凍空間内の温度に比べて高いことに加え、冷凍空間の空気を蒸発器へ戻す流路が開放しているため、冷凍空間内に温度の高い空気が流入し省エネルギー性能を悪化させるおそれがある。
【０００５】
そこで、１つの蒸発器で冷却を行う冷蔵庫において、冷凍空間内に高い温度の空気が流入するのを防止しつつ、圧縮機の停止中に蒸発器に残存する冷熱を有効活用し省エネルギー性能に優れた冷蔵庫を提供することを目的とする。
【課題を解決するための手段】
【０００６】
実施形態に係る冷蔵庫は、冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間に供給する流路を開閉する冷蔵吹出ダンパと、前記蒸発器で冷却された空気を前記冷凍空間に供給する流路を開閉する冷凍吹出ダンパと、前記冷凍空間の空気を前記蒸発器が収納された空間へ戻す流路を開閉する冷凍吸込ダンパと、前記圧縮機、前記蒸発器ファン、前記冷蔵吹出ダンパ、前記冷凍吹出ダンパ、及び前記冷凍吸込ダンパを制御する制御部とを備え、前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、前記制御部は、前記冷蔵冷却モード又は前記冷凍冷却モードの終了後に前記圧縮機を停止させると、前記冷蔵吹出ダンパを開放し、前記冷凍吹出ダンパ及び前記冷凍吸込ダンパを閉止し、前記蒸発器ファンを回転させる第１制御を実行することを特徴とする。
【図面の簡単な説明】
【０００７】
【図１】第１実施形態に係る冷蔵庫の断面図。
【図２】図１に示す冷蔵庫の扉及び引き出しを省略した正面図。
【図３】図１に示す冷蔵庫の冷凍サイクルを示す図。
【図４】図１に示す冷蔵庫の電気構成を示すブロック図。
【図５】図１に示す冷蔵庫の制御を示すタイムチャート。
【図６】第１実施形態の変更例に係る冷蔵庫の制御を示すフロー図。
【図７】第２実施形態に係る冷蔵庫の制御を示すフロー図。
【発明を実施するための形態】
【０００８】
（第１実施形態）
以下、図面に基づき本発明の第１実施形態について説明する。
【０００９】
本実施形態に係る冷蔵庫１０は、図１及び図２に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１０】
冷蔵空間２０は、冷蔵温度（例えば、２〜３℃）に冷却される空間であって、内部がさらに仕切板２１によって上下に区画され、上部空間に複数段の載置棚を設けた冷蔵室２２が設けられ、下部空間に引き出し式の収納容器２３を配置する野菜室２４が設けられている。
【００１１】
野菜室２４の下方に配置した冷凍空間４０は、冷凍温度（例えば、−１８℃以下）に冷却される空間であって、比較的小容積の自動製氷機を備えた製氷室４１と小型冷凍室４２とが左右に併設され、その下方に冷凍室４３が設けられている。
【００１２】
冷蔵室２２の開口部は、冷蔵庫本体１１の一側部の上下に設けられたヒンジにより回動自在に枢支された冷蔵室扉２５により閉塞されている。
【００１３】
野菜室２４、製氷室４１、小型冷凍室４２及び冷凍室４３の開口部は、引き出し式扉２６，４６，４７により閉塞されている。各引き出し式扉２６，４６，４７の裏面側に固着した左右一対の支持枠には、収納容器２３，４４，４５が保持されており、開扉動作とともに庫外に引き出されるように構成されている。
【００１４】
製氷室４１及び小型冷凍室４２の背部には、図３に示すような冷凍サイクル５０の一部を構成する１つの蒸発器５６と、蒸発器５６で冷却された空気を冷蔵空間２０及び冷凍空間４０に送風する蒸発器ファン３１とを収納する蒸発器室３０が配設されている。
【００１５】
冷凍サイクル５０は、高温高圧の冷媒ガスを吐出する圧縮機５１と、該圧縮機５１から吐出される冷媒ガスを受けて放熱液化する凝縮器５２と、凝縮器５２からの冷媒を減圧するキャピラリーチューブ５４と、キャピラリーチューブ５４の下流側に接続され蒸発器５６とを配管接続して構成される。圧縮機５１から吐出された冷媒は、凝縮器５２、キャピラリーチューブ５４を介して蒸発器５６に供給され、これにより、蒸発器５６が低温下する。蒸発器５６には、蒸発器５６の温度Ｔｅを検出する蒸発器温度センサ６２と、蒸発器５６を加熱する除霜ヒータ６３が配設されている。
【００１６】
蒸発器室３０は、図１及び図２に示すように、冷蔵吹出ダンパ３２が設けられた冷蔵吹出ダクト３３及び冷蔵吸込ダクト３４によって冷蔵空間２０と接続されるとともに、冷凍吹出ダンパ３５が設けられた冷凍吹出ダクト３６及び冷凍吸込ダンパ３７が設けられた冷凍吸込ダクト３８によって冷凍空間４０と接続されている。
【００１７】
冷蔵室２２の背面には、冷蔵空間２０の庫内温度ＴＲを測定するための冷蔵温度センサ２７が設けられ、冷凍室４３の背面には、冷凍空間４０の庫内温度ＴＦを測定するための冷凍温度センサ４８が設けられている。
【００１８】
冷蔵庫本体１１の背面下部には、冷凍サイクル５０の一部を構成する圧縮機５１及び凝縮器５２を収納する機械室６０が配設されており、機械室６０の背面に制御部６１が設けられている。
【００１９】
制御部６１は、図４に示すように、冷蔵温度センサ２７、冷凍温度センサ４８、蒸発器温度センサ６２などの各種センサから入力される信号や、ＥＥＰＲＯＭ等の不揮発性記録媒体からなるメモリ６４に記憶された制御プログラムに基づいて、蒸発器ファン３１、冷蔵吹出ダンパ３２、冷凍吹出ダンパ３５、冷凍吸込ダンパ３７、及び圧縮機５１の動作を制御する。
【００２０】
このような構成の冷蔵庫１０では、制御部６１が、圧縮機５１及び蒸発器ファン３１の駆動と、冷蔵吹出ダンパ３２、冷凍吹出ダンパ３５、及び冷凍吸込ダンパ３７の開閉とを制御することで、冷蔵温度センサ２７及び冷凍温度センサ４８によって検出された庫内温度ＴＲ、ＴＦに基づいて、冷蔵冷却モードと冷凍冷却モードとを切り替えて実行するとともに、冷蔵冷却モード又は冷凍冷却モードの終了後に圧縮機５１を停止させると第１制御モードを実行する。
【００２１】
詳細には、図５に示すように、冷蔵冷却モードでは、冷凍サイクル５０に設けられた圧縮機５１を駆動することで蒸発器５６を低温化しつつ、冷蔵吹出ダンパ３２を開放し、冷凍吹出ダンパ３５及び冷凍吸込ダンパ３７を閉止した状態で蒸発器ファン３１を駆動する。
【００２２】
これにより、蒸発器５６で冷却された空気が冷蔵吹出ダクト３３を介して冷蔵空間２０に送風され、冷蔵空間２０内を冷却する。冷蔵空間２０内を流れた空気は、冷蔵空間２０の下部を構成する野菜室２４の背面に設けられた吸込口２８から冷蔵吸込ダクト３４に取り込まれ、蒸発器室３０に戻り、再び蒸発器５６と熱交換し冷却される。
【００２３】
制御部６１は、冷蔵空間２０の庫内温度ＴＲが所定温度ＴＲｏｆｆ（例えば、ＴＲｏｆｆ＝０℃）に到達するまで冷蔵冷却モードを実行し、所定温度ＴＲｏｆｆに到達すると冷蔵冷却モードを終了する。
【００２４】
冷凍冷却モードでは、冷凍サイクル５０に設けられた圧縮機５１を駆動することで蒸発器５６を低温化しつつ、冷蔵吹出ダンパ３２を閉止し、冷凍吹出ダンパ３５及び冷凍吸込ダンパ３７を開放した状態で蒸発器ファン３１を駆動する。
【００２５】
これにより、蒸発器５６で冷却された空気が冷凍吹出ダクト３６を介して冷凍空間４０に送風され、冷凍空間４０内を冷却する。冷凍空間４０内を流れた空気は、冷凍空間４０の下部を構成する冷凍室４３の背面に設けられた吸込口から冷凍吸込ダクト３８に取り込まれ、蒸発器室３０に戻り、再び蒸発器５６と熱交換し冷却される。
【００２６】
制御部６１は、冷凍空間４０の庫内温度ＴＦが所定温度ＴＦｏｆｆ（例えば、ＴＦｏｆｆ＝−２２℃）に到達するまで冷凍冷却モードを実行し、所定温度ＴＦｏｆｆに到達すると冷凍冷却モードを終了する。
【００２７】
そして、制御部６１は、冷蔵温度センサ２７によって検出された庫内温度ＴＲが所定温度ＴＲｏｎ以下（例えば、ＴＲｏｎ＝２℃）で、かつ、冷凍温度センサ４８によって検出された庫内温度ＴＦが所定温度ＴＦｏｎ以下（例えば、ＴＦｏｎ＝−１８℃）であると、圧縮機５１を停止させつつ、冷蔵吹出ダンパ３２を開放し、冷凍吹出ダンパ３５及び冷凍吸込ダンパ３７を閉止した状態で蒸発器ファン３１を駆動する第１制御モードを実行する。
【００２８】
本実施形態では、制御部６１は、冷蔵空間２０の庫内温度ＴＲが所定温度Ｔｈ１（例えば、Ｔｈ１＝０℃）以上の場合に上記した第１制御モードを実行し、冷蔵空間２０の庫内温度ＴＲが所定温度Ｔｈ１より低いと第１制御モードを終了し、圧縮機５１の停止状態を維持しつつ、冷蔵吹出ダンパ３２、冷凍吹出ダンパ３５及び冷凍吸込ダンパ３７を全て閉止し、蒸発器ファン３１を停止させる停止モードを実行する。
【００２９】
以上のような本実施形態の冷蔵庫１０では、第１制御モードを実行する直前まで圧縮機５１の動作により蒸発器５６が冷却されており、蒸発器５６に残存する冷熱により空気が冷却され、この空気が冷蔵吹出ダクト３３を介して冷蔵空間２０に送風される。そのため、圧縮機５１の停止中に蒸発器５６に残存する冷熱を有効活用することができ、省エネルギー性能を向上させることができる。
【００３０】
しかも、第１制御モードの実行中は、冷凍吹出ダンパ３５及び冷凍吸込ダンパ３７が閉止されているため、冷凍空間４０内にその庫内温度ＴＦより高い温度の空気が流入するのを防止することができ、より一層、省エネルギー性能を向上させることができる。
【００３１】
また、本実施形態では、冷蔵空間２０の庫内温度ＴＲが所定温度以上の場合に第１制御モードを実行し、所定温度より低いと第１制御モードを実行しないため、冷蔵空間２０内を冷却しすぎることがなく、冷蔵空間２０を適切な温度を維持することができる。
【００３２】
なお、冷蔵庫１０では、所定条件を満たすと、例えば、前回の除霜から積算した圧縮機５１の実運転時間が所定時間を超えると、圧縮機５１を停止させつつ除霜ヒータ６３を通電し蒸発器５６に付着した霜を融解させる除霜を行うことがある。この除霜を行う場合、制御部６１は、圧縮機５１を停止させた後、除霜ヒータ６３の通電前に上記した第１制御モードを実行し、その後、除霜ヒータ６３を通電して除霜を行うことが好ましい。
【００３３】
これにより、蒸発器５６に残存する冷熱を利用して冷蔵空間２０を冷却することができるとともに、除霜ヒータ６３の通電前に蒸発器ファン３１の回転により蒸発器５６に付着した霜をある程度融解することができ、除霜ヒータ６３の通電量を低減することができる。
【００３４】
（第１実施形態の変更例）
次に、第１実施形態の変更例について図６を参照して説明する。
【００３５】
本変更例では、制御部６１が、圧縮機５１を停止させた後、蒸発器５６の温度Ｔｅが所定温度以下の場合に第１制御モードを実行する。
【００３６】
具体的には、制御部６１は、冷蔵冷却モードと冷凍冷却モードとを切り替えて実行し、冷蔵温度センサ２７によって検出された庫内温度ＴＲが所定温度ＴＲｏｎ以下で、かつ、冷凍温度センサ４８によって検出された庫内温度ＴＦが所定温度ＴＦｏｎ以下に達すると、圧縮機５１を停止させる。
【００３７】
そして、制御部６１は、図６に示すように圧縮機５１を停止させた後（ステップＳ１）、ステップＳ２において蒸発器温度センサ６２で検出された蒸発器５６の温度Ｔｅが所定温度Ｔｈ２以下（例えば、Ｔｈ２＝０℃）であるか判断し、所定温度Ｔｈ２以下であればステップＳ３に進み第１制御モードを実行してから停止モードを実行し（ステップＳ４）、所定温度Ｔｈ２より高ければステップＳ４に進み第１制御モードを実行することなく停止モードを実行する。
【００３８】
このような場合であれば、冷蔵空間２０の冷却に使用する冷熱が蒸発器５６に残存する場合に限って第１制御モードを実行することになり、冷蔵空間２０の庫内温度を不用意に上昇させることなく確実に冷蔵空間２０を冷却することができる。
【００３９】
なお、その他の構成及び作用効果については第１実施形態と同様であるので、説明は省略する。
【００４０】
（第２実施形態）
次に、第２実施形態について図７を参照して説明する。
【００４１】
本実施形態の冷蔵庫１０では、制御部６１は、冷凍冷却モードの終了後に圧縮機５１を停止させると、第２制御モードを実行した後、第１制御モードを実行する。
【００４２】
具体的には、第１実施形態と同様、制御部６１は、冷蔵冷却モードと冷凍冷却モードとを切り替えて実行し、冷蔵温度センサ２７によって検出された庫内温度ＴＲが所定温度ＴＲｏｎ以下で、かつ、冷凍温度センサ４８によって検出された庫内温度ＴＦが所定温度ＴＦｏｎ以下に達すると、圧縮機５１を停止させる。
【００４３】
そして、制御部６１は、図７に示すように、圧縮機５１を停止させた後（ステップＳ１１）、ステップＳ１２において圧縮機５１を停止させる直前の冷却モードが冷凍冷却モードであるか否か判断し、冷凍冷却モードであれば冷蔵吹出ダンパ３２を閉止し、冷凍吹出ダンパ３５及び冷凍吸込ダンパ３７を開放し、蒸発器ファン３１を回転させる第２制御モードを実行し（ステップＳ１３）、その後、第１制御モードを実行する（ステップＳ１４）。また、ステップＳ１２において判断した圧縮機５１を停止させる直前の冷却モードが冷蔵冷却モードであれば、第２制御モードを実行することなくステップＳ１４に進んで第１制御モードを実行する。第１制御モードが終了すると、ステップＳ１５に進んで停止モードを実行する。
【００４４】
このような本実施形態では、圧縮機５１を停止する直前まで冷凍冷却モードを実行しており冷凍空間４０を冷却可能な温度まで冷却されている蒸発器５６に残存する冷熱を利用して冷凍空間４０と冷蔵空間２０とを冷却することができ、省エネルギー性能を向上させることができる。
【００４５】
なお、その他の構成及び作用効果については第１実施形態と同様であるので、説明は省略する。
【００４６】
（第２実施形態の変更例１）
上記した第２実施形態では、第２制御モードを実行後に第１制御モードを実行するが、本変更例１では、第２制御モードを実行した後、冷蔵空間２０の庫内温度ＴＲが所定温度以上の場合に第１制御モードを実行する。
【００４７】
具体的には、制御部６１は、第２制御モードの実行後に冷蔵温度センサ２７で検出された冷蔵空間２０の庫内温度ＴＲが所定温度Ｔｈ３（例えば、Ｔｈ３＝０℃）以上であるか判断し、所定温度Ｔｈ３以上であれば第２制御モードを実行した後に第１制御モードを実行し、所定温度Ｔｈ３より低ければ第２制御モードを実行した後に第１制御モードを実行せず停止モードを実行してもよい。このような場合、冷蔵空間２０の庫内温度ＴＲが所定温度Ｔｈ３以上の場合に第１制御モードを実行し、所定温度Ｔｈ３より低いと第１制御モードを実行しないため、冷蔵空間２０内を冷却しすぎることがなく、適切な温度を維持することができる。
【００４８】
（第２実施形態の変更例２）
上記した第２実施形態では、冷凍冷却モードの終了後に圧縮機５１を停止させると、第２制御モードを実行するが、本変更例２では、冷凍空間４０の庫内温度ＴＦが所定温度以上の場合に第２制御モードを実行する。
【００４９】
具体的には、制御部６１は、圧縮機５１の停止後に冷凍温度センサ４８で検出された冷凍空間４０の庫内温度ＴＦが所定温度Ｔｈ４（例えば、Ｔｈ４＝−２２℃）以上であるか判断し、所定温度Ｔｈ４以上であれば第２制御モードを実行した後に第１制御モードを実行し、所定温度Ｔｈ４より低ければ第２制御モードを実行せず第１制御モードを実行してもよい。このような場合、冷凍空間４０の庫内温度ＴＦが所定温度Ｔｈ４以上の場合に第２制御モードを実行し、所定温度Ｔｈ４より低いと第２制御モードを実行しないため、冷凍空間４０内を冷却しすぎることがなく、適切な温度を維持することができる。
【００５０】
（第２実施形態の変更例３）
上記した第２実施形態では、冷凍冷却モードの終了後に圧縮機５１を停止させると、第２制御モードを実行したが、本変更例３では、蒸発器５６の温度Ｔｅが所定温度Ｔｈ５以下の場合に第２制御モードを実行する。
【００５１】
具体的には、制御部６１は、圧縮機５１の停止後に蒸発器温度センサ６２で検出された蒸発器５６の温度Ｔｅが所定温度Ｔｈ５以下（例えば、Ｔｈ５＝−２２℃）であるか判断し、所定温度Ｔｈ５以下であれば第２制御モードを実行した後に第１制御モードを実行し、所定温度Ｔｈ５より高ければ第２制御モードを実行することなく第１制御モードを実行してもよい。このような場合、冷凍空間４０の冷却に使用する冷熱が蒸発器５６に残存する場合に限って第２制御モードを実行することになり、冷凍空間４０の庫内温度を不用意に上昇させることなく確実に冷凍空間４０を冷却することができる。
【００５２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５３】
１０…冷蔵庫      ２０…冷蔵空間      ２２…冷蔵室
２４…野菜室      ２７…冷蔵温度センサ      ３０…蒸発器室
３１…蒸発器ファン      ３２…冷蔵吹出ダンパ      ３３…冷蔵吹出ダクト
３４…冷蔵吸込ダクト      ３５…冷凍吹出ダンパ      ３６…冷凍吹出ダクト
３７…冷凍吸込ダンパ      ３８…冷凍吸込ダクト      ４０…冷凍空間
４１…製氷室      ４２…小型冷凍室      ４３…冷凍室
４８…冷凍温度センサ      ５０…冷凍サイクル      ５１…圧縮機
５２…凝縮器      ５６…蒸発器      ６１…制御部
６２…蒸発器温度センサ      ６３…除霜ヒータ
【図１】
2014005953.tif 000003
【図２】
2014005953.tif 000004
【図３】
2014005953.tif 000005
【図４】
2014005953.tif 000006
【図５】
2014005953.tif 000007
【図６】
2014005953.tif 000008
【図７】
2014005953.tif 000009